(57)【要約】  液晶ディスプレイ内で行と列をアドレスする方法において、パネル内で行と列をアドレスする各フェーズは、全画素に予充電電圧（Ｖｒ）を印加するため、行の書き込みステップの前にディスプレイの画素を予充電するためのステップを含む。選択された黒又は白の予充電レベルに応じて、ライトボックスは永続的にスイッチを投入されるか、又は予充電ステップの直後あるいは書き込みステップの直後の、各アドレスフェーズの間、スイッチを投入される。ディスプレイの明るさは従って改善される。ディスプレイは順次カラー型であることが有利である。【選択図】図４ａ
2009518672.tif 000002
【特許請求の範囲】
【請求項１】
行と列に配置された画素（２）のパネル（１）を有する液晶ディスプレイとビデオフレームとを備えたビデオシステムであって、
ビデオフレームが、
一つの行時間の間に前記行を選択するため、及び選択された行における各画素に対して、表示されるべき画像データに対応するアナログ電圧レベル（Ｖ１，．．．Ｖｎ）を印加するための、各行（ｒ１，．．．ｒｍ）に対するフェーズを含む、行の書き込みステップと、
前記画素を照射できるライトボックスを用いる照明ステップと、
全画素へ予充電電圧を印加するために、ディスプレイにおける画素を予充電するステップと
を含む前記パネルにおける行の少なくとも一つのアドレスフェーズを備えるシステムであって、
前記予充電ステップが、前記書き込みステップの前に各アドレスフェーズの最初に順次作動し、それが各行当たり一つの複数の行トランジスタと、各列当たり一つの複数の列トランジスタとを含む予充電回路（ＴＩ，Ｔｃ）により達成され、
前記行トランジスタ及び列トランジスタが前記予充電ステップにおいて同時に作動し、行トランジスタはパネルにおける全ての列を同時に選択し、列トランジスタは全ての列に予充電電圧（Ｖｒ）を同時に印加するためのものであることを特徴とするビデオシステム。
【請求項２】
予充電電圧（Ｖｒ）の極性が各アドレスフェーズに対して反転することを特徴とする、請求項１に記載のビデオシステム。
【請求項３】
前記予充電電圧（Ｖｒ）が白レベルに対応し、ライトボックスが前記予充電ステップの間、スイッチを切られていることを特徴とする、請求項１または２に記載のビデオシステム。
【請求項４】
各アドレスフェーズにおいて、ライトボックスのスイッチ投入ステップが書き込みステップの後に作動することを特徴とする、請求項３に記載のビデオシステム。
【請求項５】
前記予充電電圧（Ｖｒ）が黒レベルに対応し、ライトボックスが前記予充電ステップの間、スイッチを切られていることを特徴とする、請求項１または２に記載のビデオシステム。
【請求項６】
各アドレスフェーズにおいて、ライトボックスのスイッチ投入ステップ及び書き込みステップが実質的に同時に作動することを特徴とする、請求項５に記載のビデオシステム。
【請求項７】
前記予充電電圧（Ｖｒ）が黒レベルであり、ライトボックスが予充電の間、スイッチを投入されていることを特徴とする、請求項１または２に記載のビデオシステム。
【請求項８】
予充電された画素において表示される所定のグレーレベルに対し、対応する列へ印加されるべきアナログ電圧レベル値が、パネル内の画素の対応する行の位置に応じて変調されることを特徴とする、請求項１〜７のいずれか一項に記載のビデオシステム。
【請求項９】
アナログ電圧（Ｖ１，．．．Ｖｎ）が、デジタルからアナログへの変換回路（１０）を用いて、書き込みステップにおいて選択された行内の各画素に印加され、基準アナログ電圧値の組（Ｖｒｅｆ１，．．．Ｖｒｅｆｋ）がグレースケールをコード化する請求項８に記載のビデオシステムであって、書き込みステップがパネルにおいて選択された現在の行の位置に応じて、アナログ基準電圧値の組の選択を含むことを特徴とする、ビデオシステム。
【請求項１０】
アナログ基準電圧値がオーバードライブ型の画素制御モードを可能にするために決定されることを特徴とする、請求項９に記載のビデオシステム。
【請求項１１】
パネルにおける行の選択方向がｊのアドレスフェーズごとに反転し、ｊがゼロ以外の整数であることを特徴とする、請求項１〜１０のいずれか一項に記載のビデオシステム。
【請求項１２】
前記アドレスフェーズがビデオフレームにおける各カラー・サブフレーム（ＳＴ−Ｒ、ＳＴ−Ｖ、ＳＴ−Ｂ）に対して繰り返されることを特徴とする、ビデオフレームが各原色に対して少なくとも一つのカラー・サブフレームを含み、請求項１〜１１のいずれか一項に記載の順次カラーモードにおける液晶ディスプレイを含むビデオシステム。
【請求項１３】
パネルにおける行の選択方向が一つのビデオフレームから次のビデオフレームへと交代し、又は一つのビデオフレーム内では、同じ色のカラー・サブフレーム同士の間で交代することを特徴とする、請求項１２に記載のビデオシステム。
【請求項１４】
予充電回路における前記行トランジスタ及び列トランジスタが、ディスプレイ内へ組み込まれるか、又は外側にあることを特徴とする、請求項１に記載のビデオシステム。
【請求項１５】
前記行トランジスタ（ＴＩ）がダイオードで設置されることを特徴とする、請求項１に記載のビデオシステム。
【発明の詳細な説明】
【技術分野】
【０００１】
本発明はアクティブマトリックス液晶ディスプレイ用の画素表示の制御方法、そして特に順次カラーモードにおけるアドレス方式に関する。
【背景技術】
【０００２】
順次カラーモードの一つの利点は、カラー表示システムがカラーフィルタなしで、言い換えれば画像の点又は画素に結び付けられているいかなるカラー情報もなく、直視型画面用に作られることが出来ることである。そのとき各画素は無色であり、順次に３原色でディスプレイを照らすライトボックスが用いられる。
【０００３】
本発明はとりわけ、携帯電話の画面から大きいテレビ画面までの、直視画面の市場に適用できる。それは特に、画素がアナログ的に制御されるディスプレイに適用可能である。対応するアドレス方式において、画素上に表示されるビデオは受信したデジタルビデオ信号を用いた、デジタル−アナログ変換器により出力されるアナログ電圧レベルによって制御される。所定のグレーレベルを表示するため、画素の能動素子は対応するアナログ電圧レベルを画素の静電容量へと移すために、一行の期間だけ作動する。そのとき液晶は印加されたアナログ値に依存する方向に向けられる。この液晶を通過する入射光の偏光は、次に偏光子により修正され解析される。
【０００４】
ディスプレイの性能は特に画素の照明時間に応じた明るさに依存する。この照明時間は、マトリックスの行における各画素へとアナログ電圧レベルを移すために必要なアドレス時間と、前のアナログ電圧レベル及び現在のアナログ電圧レベルに応じた液晶の整定時間とに依存する。
【０００５】
これらの制約は順次カラーモードにおいてアドレスされたディスプレイの場合に強調される。ディスプレイにおいて、画素はマトリックスの行と列で組織され、各画素は行と列の交点に配置されていることを想起されたい。セルの行は順次にアドレスされる。一つの行におけるセルは同時にアドレスされ、その行時間の間（言い換えればその間に関連する行が選択される時間）に、列を通じて新たなアナログデータを受信する。ディスプレイのアドレスフェーズは通常、その間に行が順次選択され、各々の選択された行の能動素子が、全ての画素が切り替えられるように必要な切り替え時間に相当する整定時間で、関連する画素の静電容量へとアナログ電圧レベルを受信し、移すために作動する書き込みステップと、その間にパネルが照明され、光がディスプレイにより変調されて対応する画像が正常に戻る照明ステップとを含む。順次カラーモードの場合、これらのステップは同一のビデオフレーム内で、各原色に対して少なくとも一度行なわれる。一般にフレーム当たり三つのカラー・サブフレームがある。従って一つのフレームの時間内で、マトリックス内の全ての画素は、各原色に対応するビデオ情報を表示するために少なくとも３回アドレスされる必要がある。異なるカラーのフレームを認識することを防ぐため、ビデオフレームにおいて原色当たり二つ以上のカラー・サブフレームを持つことが必要かも知れない。
【０００６】
前のサブフレームの間に記憶されたアナログ電圧レベルに応じた、そして新たなサブフレームの間に印加されるアナログ電圧レベルに応じた、特に液晶の応答時間に起因する、これらのディスプレイに伴って生じる幾つかの問題が依然として残っている。ＴＮ（ねじれネマチック：Ｔｗｉｓｔｅｄ  Ｎｅｍａｔｉｃ）型液晶ディスプレイの例をとると、液晶が一つのグレーレベルから別のグレーレベルに変わる切り替え時間は、黒レベルから白レベルに変わる、又は白レベルからグレーレベルに変わる切り替え時間よりも遥かに長い。黒レベルは画素と対電極との間の電位差が最大となる液晶モードである。白レベルは画素と対電極との間の電位差が最小となる液晶モードである。グレーレベルは中間のレベルである。ライトグレーは白を得るために適用される値に類似の、印加される電位差に相当し、一方でダークグレーは黒を得るために適用されるものに類似の電位差に相当する。白レベルからライトグレーレベルに変わる切り替え時間は、黒レベルから同じライトグレーレベルに変わる切り替え時間の１．５倍長くなり得る。ライトグレーレベルから黒レベルへの切り替え時間は非常に短い。ＴＮ型液晶を用いた一つの例において、次の切り替え時間が測定された。白から黒への変化に０．２ｍｓ（ミリセカンド）、黒から白への変化に１ｍｓ、二つのグレーレベル間で測定された最悪の場合で３．２５ｍｓ。
【発明の開示】
【発明が解決しようとする課題】
【０００７】
本発明は液晶ディスプレイの性能を改善しようと試みる。特に、ディスプレイの明るさを改善するための試みがなされている。明るさを改善する一つの手段は、全てのパネルのアドレスフェーズの間にパネルの照明時間を増すことである。
【０００８】
特に液晶の整定時間に起因する、良く知られた色割れの問題を解決するためにカラー表示周波数が増やされる、順次カラー型の液晶ディスプレイの性能を改善するための試みも又なされている。例えば各ビデオフレームにおいて、各原色に対して二つのカラー・サブフレームが存在する。ディスプレイのアドレス時間の上限は、ビデオフレームの継続期間により固定される。ビデオ周波数を倍増することはビデオフレームの継続期間を半減させることと等価であり、問題を生じる。特に、パネルの最後の２行の画素は、それらの新たなビデオレベルの設定値に達するための十分な時間を持たない可能性がある。前のアドレスフェーズが赤のサブフレームに対応する場合、次のサブフレーム、例えば緑のサブフレームにおいて、パネルの下端は前の赤のサブフレームに対応する幾つかのデータを依然として含み得る。
【０００９】
これらの様々な問題を解決するため、より長い照明時間を持ち、従って明るさを改善するように、そしてライトボックスのスイッチ投入及びスイッチ切断の周波数に起因するストロボ効果を減らすため、各ビデオフレームにおいてカラー・サブフレームの数を倍増することが出来るように、セルをアドレスするために必要な時間を低減すること、言い換えれば書き込みステップ及び整定ステップの継続時間を低減することは有用であるのが分かる。
【００１０】
本発明の一つの目的は、ディスプレイの性能が改善される、液晶ディスプレイのアドレスをするためのプロセスである。
【００１１】
本発明の一つの目的は、ディスプレイ制御装置に基づき、そして非常に少ない変更しか必要としないアドレス方式である。
【００１２】
本発明の別の目的は単一の液晶ディスプレイパネルを有する、カラー投影システムである。
【課題を解決するための手段】
【００１３】
従って本発明は、ビデオフレームがパネル内の行の少なくとも一つのアドレスフェーズを含む、ビデオ情報をディスプレイの各画素に適用するために、液晶ディスプレイの行及び列をアドレスする方法を有するビデオシステムに関し、前記フェーズは、
各行に対して、一つの行時間の間に前記行を選択し、そして選択された行内の各画素において、表示されるべき画像データに対応するアナログ電圧レベル（Ｖ１，．．．Ｖｎ）を印加するフェーズを含む、行の書き込みステップと、
前記画素を照らすライトボックスによる照明ステップと、
全画素へ予充電電圧を印加するため、前記書き込みステップの前にディスプレイ内の画素を予充電するステップとを含む。
パネル内の行の各アドレスフェーズの最初の予充電ステップにおいて作動する予充電回路は、パネル内の全ての行を同時に選択し、そして予充電電圧を全ての列へ同時に印加するために用いられる。それは全ての行を同時に選択するための複数の行トランジスタと、予充電電圧を全ての列へ同時に印加するための複数の列トランジスタとを備える。
【００１４】
ディスプレイは順次カラー型であることが有利である。
【００１５】
本発明の他の利点及び特徴は、制限されない例として与えられている本発明の実施形態の例示図面に関連して、以下の記述において詳細に説明されている。
【発明を実施するための最良の形態】
【００１６】
図１はアクティブマトリックス・パネル１を有するＬＣＤ表示のブロック線図を例示する。それはトランジスタ及び画素電極を支持する第一の基板、カラーフィルタと、そのカラーフィルタに対して設置され得るか、又は設置され得ない、パネル内の全画素に共通の対電極ＣＥとを含み得るか、又は含み得ない第二の基板を備える。この二つの基板はほぼ平行であり、対電極とアクティブマトリックスとの間の二つの基板の間の、この空間にある液晶で互いに隔てられている。
【００１７】
パネルは各々がｎ個の表示要素又は画素２を備えるｍ行ｒ１〜ｒｍ、及び各列においてｍ個の画素２を有するｎ列ｃ１〜ｃｎから成る。各画素は例ではトランジスタ３である、関連する能動素子を有する。通常、同じ行のトランジスタのゲート電極は行ｒ１，．．．ｒｍの導体へ共通に接続され、同じ列のトランジスタのソースの導電性電極又はドレインの導電性電極は列ｃ１，．．．ｃｎの導体へ共通に接続され、その他の電極は関連する画素２の画素電極Ｅｐへ接続される。
【００１８】
パネル１における各行のアドレスは、行アドレス時間（又は行時間）ｔ１の間に、ゲート電圧を関連する行導体へと印加することから成る。この効果は、この行における全てのトランジスタ３をＯＮ（導通）状態に置くことである。ｎ列上にあるビデオ情報は画素電極Ｅｐへ移される。
【００１９】
パネルの画素内に書き込まれるｎ個のデータの入力の流れに対応する、各アドレスフェーズの間、表示パネル内の全ての行が走査されるように、各行は従って一つの行時間の間にアドレスされる。アドレスは通常、行から行へ順次行われる。他の行アドレスモードが可能である。特に、パネルにおける行は、書き込みにおいて幾つもの行を同時にアドレスすることが出来るように、様々なグループに分配され得る。
【００２０】
アドレスフェーズはビデオフレーム又は、順次カラーディスプレイの場合にはカラー・サブフレームに対応し得る。
【００２１】
図２に図式的に示すように、列に適用されるビデオ情報は、入力デジタルビデオ信号の流れ（ＤａｔａＩＮ）に相当する、１行当たり一つのアナログ電圧レベルＶ１〜Ｖｎの組から成る。このアナログ電圧レベルの組はデジタル−アナログ変換器１０により出力される。既知の構成の一例において、この変換器はＲ−ＤＡＣタイプであり、言い換えれば、それはアナログ電圧レベルＶ１〜Ｖｎを出力するために、ｋ種類のアナログ基準電圧レベルＶｒｅｆ１〜Ｖｒｅｆｋを出力する基準電圧回路１１と、各基準レベルの間にＩの段を有する抵抗分割ブリッジを作り出す、直列抵抗のチェインとを用いる。変換器は入力において受信した各デジタルコードと、アナログ電圧レベルＶ１〜Ｖｎとの間に全単射を設定する。パネルにおけるグレーレベルの数は選択されたアドレスモードに応じて、（ｋ−１）．ｌ又は（ｋ−１）．ｌ／２に等しい。ディスプレイ上の一つの行に関するデータに対応する入力の流れＤａｔａＩＮにおける、デジタルデータの各シリーズに対して、変換器１０は増幅装置１２を通じて最初にｎ個のアナログ電圧レベルＶ１〜Ｖｎの組を出力し、そしてこれらのレベルは列ｃ１〜ｃｎへ適用される。
【００２２】
本発明によれば、そして図１に示すように、ディスプレイはパネル１において画素２の予充電回路４を備える。この予充電回路は１行当たり一つの、行に関連するｍ個の予充電トランジスタＴＩと、１列あたり一つの、列に関連するｎ個の予充電トランジスタＴｃとを含む。行に関連する予充電トランジスタＴＩは、関連する行導体に接続された導電性電極を有し、その他の導電性電極は全ての予充電トランジスタに共通の第一の導体（図１）、又はゲート電極（図３）に接続される。ゲート電極は全ての予充電トランジスタに共通の第二の導体に接続される。列に関連する予充電トランジスタＴｃは、関連する列導体に接続された導電性電極を有する。その他の導電性電極は全ての予充電トランジスタに共通の第一の導体に接続される。ゲート電極は全ての予充電トランジスタに共通の第二の導体に接続される。
【００２３】
予充電ステップにおいて、行の予充電トランジスタＴｉのゲートは制御電圧Ｖｃ１へ導かれる。それらの共通の導電性電極は全ての行ｒ１〜ｒｍが同時に選択されるように制御電圧Ｖｃ２へ導かれる。行の予充電トランジスタＴｉの、この制御モードは各アドレスフェーズに対して、予充電電圧Ｖｒの極性を反転させることが有利である。これは液晶に対してゼロの平均電圧を与えることができ、パネルの符号付けを防止する。
【００２４】
別の変形の実施形態において、予充電トランジスタはダイオードにより置き換えられる。これは以前にＶｃ２に接続されていた導電性電極を用いて、トランジスタのゲートを短絡することにより、図３に示されるようにトランジスタＴＩで簡単に得られる可能性がある。この変形の利点は、それがこのダイオードの導通状態又はブロッキング状態を制御するために、単一の予充電制御電圧のみを要することである。この例において、トランジスタＴＩ及びＴｃへ印加されるゲート電圧は、Ｖｇと呼ばれる同じ電圧である。予充電電圧の極性を反転させることが必要な場合、予充電電圧の極性に応じて常に導通するダイオードが存在するように、第二のダイオード（図示せず）が必要であろう。
【００２５】
この予充電のステップにおいて、列の予充電トランジスタＴｃのゲートは制御電圧Ｖｃ３（図１）又はＶｇ（図３）へと上げられ、それらの共通の導電性電極は、全ての列ｃ１〜ｃｎがほぼＶｒに等しい同じ予充電電圧レベルにあるように、予充電電圧Ｖｒへ導かれる。
【００２６】
行と列の予充電トランジスタの使用割合は非常に小さいことが分かるであろう。それらは一つのアドレスフェーズにつき一度のみ作動する。それらの作動時間及び予充電電圧レベルＶｒは、ディスプレイの動作温度に応じて、実際にそのディスプレイの液晶のパラメータに従って調整される。それらの特性は画素に関連するトランジスタ３と同じように、経時的にかなり変化する。
【００２７】
本発明の第一の実施形態によれば、予充電レベルＶｒは白レベル、すなわち典型的には０ボルトに相当する。この実施形態において、黒レベルから白レベル又はグレーレベルから白レベルへの切り替えは遅いことが既に見られた。予充電の継続期間はそれに応じて決定される。しかしそれに続く書き込みステップは、全画素に対する白レベルから他のあらゆる（白、グレー、又は黒）レベルへの変化より成るために速い。
【００２８】
本発明の第二の実施形態によれば、予充電レベルＶｒは黒レベル、すなわち典型的には約６Ｖに相当する。この実施形態において、白レベルから黒レベル又は白レベルからグレーレベルへの切り替えは速いことが既に見られた。更に、いわゆる「オーバードライブ（ｏｖｅｒｄｒｉｖｅ）」画素制御モードを用いることは容易である。このモードにおいて画素に印加される電圧レベルは、目標値が超えられ、液晶の切り替え時間が画素における電圧レベルを、切り替えの最後に目標値へと引き戻す効果を有するように、必要な目標値に比較して超えられる。画素が黒レベルに予充電されるため、これを実行することは容易である。従って各画素に対する開始点は常に同じ既知のレベル、黒である。この黒レベルは一般的に６Ｖに相当する。新しい目標が、適用されるグレースケールを有する画素において、３Ｖの電圧で通常得られる所定のグレーレベルであることを想定されたい。オーバードライブ技術を用いて、液晶の切り替えを促すため３Ｖの代わりに２．５Ｖの電圧が画素に印加される。その画素はそれが３Ｖへ充電されたであろうよりも早く２．５Ｖへ充電される。２．５Ｖのレベルは、液晶の切り替えの遅れが、画素におけるレベルを２．５Ｖから必要とされる３Ｖへと切り替えの終りには増加させるように決定される。そこには二つの効果がある。切り替えが加速され、液晶の切り替え中の電圧の漸次的消滅が回避される。実際、パネル用に決定されたグレースケールをコード化する、アナログ基準電圧レベルの組が、オーバードライブ型の画素制御モードを可能にするように選択されることが又計画される。
【００２９】
本発明のこの第二の実施形態によれば、黒レベルへの予充電に伴い、予充電の継続期間はより短くなる。それは０．２ｍｓよりも小さくなり得る。問題は全ての画素に対して高い黒レベル（６Ｖ）から可変レベルの、白、グレー、又は黒レベルに変えることであるため、それに続く書き込みステップは、そのとき第一の実施形態におけるよりも遅い。しかし、それはより良く制御され、予充電のない先行技術におけるよりも速い。
【００３０】
本発明によるアドレスフェーズは、そのとき継続期間ｔｐの間の予充電ステップを含み、それに継続期間ｔｗを伴う書き込みステップが続く。アドレスフェーズは再度、画素パネルが照らされるステップを含む。
【００３１】
図４ａに示す本発明の第一実施形態において、照明ステップは現在のアドレスフェーズにおける書き込みステップが終わった後に作動する（Ｌ−ｏｎ）。従って、アドレスフェーズの継続期間ｔｓｔマイナス（−）予充電ステップ（ｔｐ）と書き込みステップ（ｔｗ）との合計にほぼ等しい、照明継続期間ｔＥが各アドレスフェーズに関して存在する。実際、全画素の液晶がパネル内で最後にアドレスされた行において整定される以前に情報を通さないように、書き込みステップの終りと対応する照明ステップとの間には時間ｔｉが存在する。
【００３２】
図４ａに示す第二の実施形態において、現在のアドレスフェーズにおける予充電ステップの終りにライトボックスは作動する（Ｌ−ｏｎ）。この実施形態は予充電レベルが黒の場合のみに適用可能である。この場合、書き込みステップの間のライトボックスの照明は不正確な情報を通す可能性が低く、それは他のあらゆる予充電レベル（白又はグレー）の場合には当てはまらない。
【００３３】
従って、アドレスフェーズの継続期間ｔｓｔにほぼ等しい、各サブフレームＳＴ−Ｒ、ＳＴ−Ｖ又はＳＴ−Ｂに対する照明継続期間ｔＥ’が存在する。ライトボックスがその間にオフである予充電の継続期間ｔｐが、黒レベルへの予充電の場合に無視できる０．２マイクロセカンド未満であることが既に見られた。実際に、ランプは予充電ステップの終了後に作動する。
【００３４】
各アドレスフェーズに対するパネルの照明時間ｔＥ’は、第一の実施形態（図４ａ）よりも大幅に長い。ディスプレイの明るさは改善される。
【００３５】
黒レベルへの予充電の場合、ライトボックスは予充電中であってもＯＮであることが可能である。この場合、ライトボックスは常にＯＮである。
【００３６】
これに関連して、画素が黒レベルに予充電され、ライトボックスがアドレスフェーズの間中、実際に常にＯＮであり、そしてマトリックスの行が順次一つずつ選択される状態で、画素の明るさには表示パネル内のそれらの位置に応じ、及び指示されるグレーレベルに応じて不均衡が存在する。アドレスフェーズの間に最初に選択される最初の行における画素は、アドレスフェーズにおいて最後に選択されるパネルのｍ番目における画素よりも、ｍの行時間だけ長い白の表示時間を有する。パネルの上端と下端との間には大きな明るさの変化がある。図６はパネルにおける最初と最後の画素に対する白の表示例において、最初の画素ｐ（ｒ１，ｃ１）、最初の行ｒ１、及び最初の列ｃ１と、最後の画素ｐ（ｒｍ，ｃｎ）、最後の行ｒｍ、及び最後の列ｃｎとの間の、この明るさの不均衡を例示する。
【００３７】
本発明においてこの明るさの変化を、パネル内のこれら画素の位置に応じて画素に対し切り替えられる、アナログ電圧の調整により補償することが計画されている。この補償を例示するため、パネルの最初の画素と最後の画素における白色表示の例を考慮し、最初の画素ｐ（ｒ１，ｃ１）の明るさが最後の画素ｐ（ｒｍ，ｃｎ）の明るさよりも２倍大きいころを想定すると、白に対して印加されるアナログ電圧レベルは、照明時間（実際にはアドレスフェーズの時間）におけるこの画素の蓄積された伝送が、最後の画素に対してわずか半分に過ぎないようなレベルである。これは図７に示されている。
【００３８】
本発明に対するこの改善は、グレースケールレベルをアドレスされた行の位置に応じて適用するよう計画することにより得られる。これはパネル内の画素の位置に応じて、列に対して印加されるアナログ電圧レベルＶ１〜Ｖｎを変調することと等価である。この改善はまた白の予充電の場合にも適用できる。それはビデオ表示の質を改善することができる。
【００３９】
グレースケールレベルはディスプレイの表示性能を改善するため、いわゆるガンマ補正（又はＳカーブ）を統合するように、通常各々のパネルに対して較正される。
【００４０】
本発明において、このスケールをアドレスされた行に応じて調整することが計画されている。実際、基準電圧Ｖｒｅｆ１〜Ｖｒｅｆｋの値は各々の新たな書き込みステップの最初に変更される。これは例えば数値の組を記憶するための装置５を含む、基準電圧回路１１（図２）を計画することにより得られ、各組は図５に図式的に示すように、パネルにおける一つ又は幾つかの行に対してグレースケールをコード化する。オーバードライブ型の画素制御を可能にするため、決定されたグレースケールをコード化するデジタル値の各々記憶された組が、オーバードライブ型の画素制御モードを可能にするように選ばれることが望ましい。
【００４１】
例えば、装置５はＲＡＭタイプのメモリであってもよい。それは基準アナログ値Ｖｒｅｆ１〜Ｖｒｅｆｋを出力するｋ組のデジタル−アナログ変換器を有する回路６と組み合わされる。
【００４２】
回路１０及び１１は各々の書き込みの際、回路１０の入力において選択された行に対応する基準電圧Ｖｒｅｆ１〜Ｖｒｅｆｋの組が存在するように同期化される。これは適応した方法で同期化される、上記で説明され図５に示すような基準電圧回路１１によって実行され得る。
【００４３】
ｊの全てのアドレスフェーズについてパネルの垂直走査方向（行選択方向）を反転することもまた可能であり、ここでｊは単独又はこの改善と組み合わされた、ゼロ以外の整数である。特に、順次カラーディスプレイの場合、アドレスモードは一つのビデオフレームから次への垂直走査方向の反転を伴い、同じフレーム内の全てのサブフレームに対して同じ行選択方向を有する、以下の計画に従って適用され得る。
フレームｉ：      赤のカラー・サブフレーム：行ｒ１〜行ｒｍを選択。
緑のカラー・サブフレーム：行ｒ１〜行ｒｍを選択。
青のカラー・サブフレーム：行ｒ１〜行ｒｍを選択。
フレームｉ＋１：  赤のカラー・サブフレーム：行ｒｍ〜行ｒ１を選択。
緑のカラー・サブフレーム：行ｒｍ〜行ｒ１を選択。
青のカラー・サブフレーム：行ｒｍ〜行ｒ１を選択。
【００４４】
選択方向はまた一つのカラー・サブフレームと、同じ色の次のカラー・サブフレームとの間で反転され得る。これは特に各ビデオフレームにおいて、各原色に対して二つ以上のカラー・サブフレームが備えられる場合に適用できる。
【００４５】
各画像フレームを六つのカラー・サブフレーム、すなわち各原色に対して二つのサブフレームに分割することが計画されている一例において、そのとき以下のシーケンスが可能であろう。
フレームｉ：      赤のカラー・サブフレーム：行ｒ１〜行ｒｍを選択。
緑のカラー・サブフレーム：行ｒ１〜行ｒｍを選択。
青のカラー・サブフレーム：行ｒ１〜行ｒｍを選択。
赤のカラー・サブフレーム：行ｒｍ〜行ｒ１を選択。
緑のカラー・サブフレーム：行ｒｍ〜行ｒ１を選択。
青のカラー・サブフレーム：行ｒｍ〜行ｒ１を選択。
フレームｉ＋１：  赤のカラー・サブフレーム：行ｒ１〜行ｒｍを選択。
緑のカラー・サブフレーム：行ｒ１〜行ｒｍを選択。
青のカラー・サブフレーム：行ｒ１〜行ｒｍを選択。
赤のカラー・サブフレーム：行ｒｍ〜行ｒ１を選択。
緑のカラー・サブフレーム：行ｒｍ〜行ｒ１を選択。
青のカラー・サブフレーム：行ｒｍ〜行ｒ１を選択。
【００４６】
これまで説明して来た本発明は、明るさ、又は一定の明るさにおけるエネルギー消費を改善する必要のある、あらゆるディスプレイに適用可能である。それは又その構造がカラーフィルタを持つか、或いは持たないパネルにおいて動的な白色光の照明を有する、ビデオフレーム当たり一つだけのアドレスフェーズを含むディスプレイにも適用できる。それは又パネルにおけるｍの行がそれぞれ次々に選択されるか、或いは幾つかの行が同時に選択され得るアドレスモードを用いるディスプレイにも適用可能である。これは特に、行がｐ組のグループに分配され、各画素の列が、グループ当たり一行で、書き込みにおいて並行してｐ組の行の中で画素の選択を可能にするｐ個の列導体を含み、アクティブマトリックスタイプの順次カラーディスプレイを備えた、マトリックス表示において可能である。例えば、各グループはディスプレイがｍ／ｐ行のｐ組のバンドへと編成されるように、パネルにおいてｍ／ｐの連続する行を含み得る。
【図面の簡単な説明】
【００４７】
【図１】本発明によるＬＣＤ表示パネルを例示する。
【図２】最先端のパネルにおける列の制御用装置のブロック線図である。
【図３】本発明によるＬＣＤ表示パネルの変形を例示する。
【図４ａ】本発明の第一の実施形態によるアドレスプロセスを例示する。
【図４ｂ】本発明の第二の実施形態によるアドレスプロセスを例示する。
【図５】パネル内の画素の位置に応じてグレースケールを変化させるために用いられる、基準電圧回路を図式的に例示する。
【図６】第二の実施形態（図４ｂ）によるアドレス方式を用いて得られる、明るさの漸減効果を例示する。
【図７】本発明の改善により得られる、この効果の補償を例示する。
【図１】
2009518672.tif 000003
【図２】
2009518672.tif 000004
【図３】
2009518672.tif 000005
【図４ａ】
2009518672.tif 000006
【図４ｂ】
2009518672.tif 000007
【図５】
2009518672.tif 000008
【図６】
2009518672.tif 000009
【図７】
2009518672.tif 000010
【国際調査報告】
2009518672.tif 000011
2009518672.tif 000012
2009518672.tif 000013
2009518672.tif 000014